(57)【特許請求の範囲】
【請求項１】
アイロンのベース部を加熱するヒータ部と、前記ヒータ部に供給する商用交流電源をオン、オフするリレー部と、前記リレー部を駆動するリレー駆動部と、アイロンが放置状態にあるか、使用状態にあるかを検知するセンサ部と、前記センサ部の出力を入力し、アイロンが所定時間放置されたとき、前記リレー駆動部に前記リレー部をオフする信号を出力する第１のタイマー部と、前記第１のタイマー部の出力が前記リレー駆動部にオフ信号を出力してから計時を開始し、第２の所定時間前記リレー駆動部にセンサ信号を出力せず、第２の所定時間後に前記リレー駆動部にセンサ信号を出力する第２のタイマー部と、前記リレー駆動部、第１のタイマー部、第２のタイマー部に電源を供給する電源部とを有し、前記第２のタイマー部は、前記第２の所定時間を計時中は前記センサ部のセンサ信号を受け付けず、前記リレー駆動部は、前記第２のタイマー部によってのみ制御されるよう構成したアイロン。
【請求項２】
第２のタイマー部は、電源投入後計時を開始するとともに、第１のタイマー部の出力にかかわらず、リレー駆動部にリレー部をオフする信号を出力し、所定時間計時後リレー駆動部に第１のタイマー部の信号を出力するよう構成した請求項１記載のアイロン。
【発明の詳細な説明】
【０００１】
【発明の属する技術分野】
本発明は、アイロンに電源を入れたままで使用せずに放置した場合、自動的にヒータ電源を切って安全性を確保するアイロンに関するものである。
【０００２】
【従来の技術】
従来、この種のアイロンは例えば図５に示すものが提案されている。すなわち、図５（ａ）に示すように、アイロン１６に商用電源を投入したまま放置して所定時間経過すると、ヒータへの供給電源を遮断して安全性を確保し、図５（ｂ）に示すように、アイロン１６を使用しているときは、このアイロン１６の往復運動を検知してヒータへの通電を継続し、アイロンがけを可能にするものである。
【０００３】
図６はこのアイロンのブロック図を示し、図７はその回路図を示している。以下、図５〜図７にしたがって説明する。アイロン１６に商用電源１を投入すると、電源部１５は商用交流電源１を適当な大きさの直流電源に変換し、リレー駆動部１２およびタイマー部１４に供給する。タイマー部１４を構成するＩＣは、例えばタイマＩＣ、マイクロコンピュータ等で構成するものであるが、電源投入とともにＩＣはトランジスタＱ２をオンし、したがって、トランジスタＱ１もオンし、リレー部１１を構成するリレーコイルＲＬＣに電流が流れ、リレー接点ＲＬＰをオンさせる。
【０００４】
したがって、ヒータ部２には、商用交流電源１から、サーモスタット９、リレー接点ＲＬＰを通ってヒータ部２に電流が供給され温度上昇する。このヒータ部２の温度は、サーモスタット９により一定温度に制御される。センサ部１３はＬＥＤとホトトランジスタＰＴにより構成されている。ＬＥＤは抵抗Ｒ１を通じて電流が流れ発光する。このＬＥＤの光がボール１９に反射されてホトトランジスタＰＴに入力される。ホトトランジスタＰＴのコレクタは抵抗Ｒ２を通じて電源に接続され、ホトトランジスタＰＴに光が入るとコレクタ電圧Ｖ２はローレベル、光が入らないとハイレベルとなる。
【０００５】
図８にセンサ部の構成を示す。ボール１９がケース１８に入れられ、このケース１８は電子回路を搭載したプリント基板２１に取付けられている。アイロン１６が水平状態で放置されるとプリント基板２１も水平状態になり、ボール１９は傾斜したケース１８の中を移動して、ＬＥＤとホトトランジスタＰＴが同一ケースに入れられたホトインタラプタ２０上に来る。ＬＥＤからの光はボール１９に当たって反射され、ホトトランジスタＰＴに入り、ホトトランジスタＰＴはオンし、コレクタ電圧Ｖ２はローレベルとなる。
【０００６】
アイロン１６が図５（ａ）に示すように、垂直状態になると、プリント基板２１も垂直状態となり、ボール１９はホトインタラプタ２０上より離れ、光がホトトランジスタＰＴに入らないため、ホトトランジスタＰＴはオフし、コレクタ電圧Ｖ２はハイレベルとなる。また、図５（ｂ）に示すように、アイロン１６を使用すると、ボール１９は往復運動し、ホトトランジスタＰＴに光が入ったり遮断したりするため、ホトトランジスタＰＴのコレクタ電圧はローレベルとハイレベルとを繰り返す。
【０００７】
この関係を図９に示す。図９（ａ）はアイロンを水平状態で放置、図９（ｂ）はアイロンを垂直状態で放置、図９（ｃ）はアイロンを使用中の時のホトトランジスタＰＴのコレクタ電圧Ｖ２である。この信号電圧Ｖ２をＩＣへ入力し、ホトトランジスタＰＴのコレクタ電圧Ｖ２がローレベルで固定している時、アイロンは水平状態で放置されており、ホトトランジスタＰＴのコレクタ電圧がハイレベルで固定している時、アイロンは垂直状態で放置されている。また、ローレベルとハイレベルを繰り返す時は、アイロンは使用中である。
【０００８】
そして、所定時間ローレベル又はハイレベルが続くと、ＩＣはトランジスタＱ２をオフし、トランジスタＱ１もオフして、リレーＲＬを構成するリレーコイルＲＬＣに電流が流れなくなり、リレー接点ＲＬＰはオフして、サーモスタット９のオン、オフに関わらずヒータ部２に供給される電力は遮断される。この所定時間は、アイロンの放置姿勢によって時間を変え、例えば水平放置状態で１分後にリレーをオフ、垂直放置状態で１０分後にリレーをオフしている。
【０００９】
この所定時間計時前に、例えば水平状態で（電圧Ｖ２はローレベル）１分経過前にＩＣへの入力電圧Ｖ２がハイレベルに変化すれば、アイロンが動いたと認識してリレー部１１のオン状態を継続し、この入力電圧が変化した時点から再度所定時間の計時を開始する。
【００１０】
したがって、アイロンの使用状態が続けば、リレー部１１のオン状態は保持され、ヒータ部への供給電力はサーモスタット９で制御され、一定温度でアイロンがけができ、又アイロンを一定時間放置すればリレー部１１はオフし、ヒータ部２への供給電力は遮断され安全性は確保できる。
【００１１】
ＺＤ１はツェナーダイオード、Ｃ１はコンデンサで、リレー駆動部１２の電源を作っている。ダイオードＤ１はリレーコイルＲＬＣがオフしたときの逆起電圧を吸収するものである。
【００１２】
【発明が解決しようとする課題】
しかしながらこのような構成のものでは、リレー部１１がオンしてからオフするまでの時間、すなわち、リレー部１１がオンしている時間は一定時間以上取れるが、リレー部１１がオフして再度オンするとき、すなわち、リレー部１１がオフしている時間は設定できない為、ごく短時間になることがある。例えば、水平状態で放置して所定時間経過し、リレー部１１がオンからオフしたとき、リレー部１１がオフ後すぐアイロンの使用を開始したときなどである。このとき、リレー部１１のオフ時間が短時間でリレー部１１がオンするため、リレー部１１の駆動電圧が十分とれず、リレー部１１がオンしないという問題があった。
【００１３】
この問題について、図７と図１０を用いてさらに詳しく説明する。図７において、通常電源部１５の出力電流Ｉを小さくして、小型で簡単な電源部を構成するため、リレー駆動部１２とタイマー部１４を直列に接続する構成にしている。トランジスタＱ１がオフのとき、リレー駆動部１２にかかる電圧Ｖ１はツェナーダイオードＺＤ１のツェナー電圧となる。この電圧Ｖ１をリレーＲＬの感動電圧Ｖｋ以上に設定しておく。
【００１４】
次に、トランジスタＱ１がオンしたとき、電圧Ｖ１はリレーコイルＲＬＣの抵抗値が小さいため小さくなる。そして、トランジスタＱ１がオンしているため、電圧Ｖ１がそのままリレーコイルＲＬＣに印加される。この電圧Ｖ１をリレーＲＬの保持電圧Ｖｈより少し高い程度に設定しておくと、リレーコイルＲＬＣに流れる電流も小さく、リレーコイルＲＬＣの発熱も抑えられる。
【００１５】
また、コンデンサＣ１は、リレー駆動部１２に印加する電圧の平滑化を図るとともに、リレーＲＬがオフからオンした時コンデンサＣ１の放電電流によって、リレーコイルＲＬＣに印加する電圧Ｖ１が感動電圧Ｖｋ以上にある時間ｔを確保して、リレーＲＬを確実にオンするようにしている。
【００１６】
このような構成で、リレーＲＬがオンし（時刻Ｔ１〜Ｔ２）、時刻Ｔ２でリレーＲＬがオフし、電圧Ｖ１は上昇、この時オフ時間は長くて、電圧Ｖ１はリレーＲＬの感動電圧Ｖｋをこえる。
【００１７】
時刻Ｔ３で再度リレーＲＬはオンし時刻Ｔ４でリレーＲＬがオフするが、この時リレーＲＬのオフ時間が短く、時刻Ｔ５でリレーＲＬがオンしたとき電圧Ｖ１は感動電圧Ｖｋまで上昇しておらず、リレーＲＬがオンする信号を出しているにもかかわらず、リレー接点ＲＬＰがオンしないという問題が発生することがあった。
【００１８】
このような問題を解決するため、電源部１５の能力を上げることで解決できるが、発熱が大きく使用部品も大型となる等の問題があった。本発明は上記従来の課題を解決するもので、簡単な電源部で、いかなる使用状態においても確実にリレーＲＬをオンさせることを目的としている。
【００１９】
【課題を解決するための手段】
本発明は上記課題を解決するために、放置した場合第１の所定時間でリレー部をオフし、ヒータへの供給電力を遮断する第１のタイマー部に加えて、リレー部をオフしたとき、第２の所定時間を計時中はセンサ部のセンサ信号を受け付けず、第２の所定時間リレー部のオフを継続する第２のタイマー部を設けたものである。
【００２０】
これにより、リレー駆動部はリレー部を確実に駆動することができ、アイロンを放置して再び使用するためアイロンを動かしたとき、確実にリレー部をオンしてヒータ部に電力を供給することができる。
【００２１】
【発明の実施の形態】
本発明の請求項１に記載の発明は、アイロンのベース部を加熱するヒータ部と、前記ヒータ部に供給する商用交流電源をオン、オフするリレー部と、前記リレー部を駆動するリレー駆動部と、アイロンが放置状態にあるか、使用状態にあるかを検知するセンサ部と、前記センサ部の出力を入力し、アイロンが所定時間放置されたとき、前記リレー駆動部に前記リレー部をオフする信号を出力する第１のタイマー部と、前記第１のタイマー部の出力が前記リレー駆動部にオフ信号を出力してから計時を開始し、第２の所定時間前記リレー駆動部にセンサ信号を出力せず、第２の所定時間後に前記リレー駆動部にセンサ信号を出力する第２のタイマー部と、前記リレー駆動部、第１のタイマー部、第２のタイマー部に電源を供給する電源部を有し、前記第２のタイマー部は、前記第２の所定時間を計時中は前記センサ部のセンサ信号を受け付けず、前記リレー駆動部は、前記第２のタイマー部によってのみ制御されるよう構成したものであり、第１のタイマー部でリレー部がオフした後、第２のタイマー部でオフ時間を確保してから、センサ部の出力信号をリレー駆動部に入力するようにしているので、確実にリレー部をオンすることができる。
【００２２】
請求項２に記載の発明は、上記請求項１に記載の発明において、第２のタイマー部は、電源投入後計時を開始するとともに、第１のタイマー部の出力にかかわらず、リレー駆動部にリレー部オフの信号を出力し、所定時間計時後リレー駆動部に第１のタイマー部の信号を出力するよう構成したものであり、電源投入時に確実にリレー部をオンすることができる。
【００２３】
【実施例】
以下、本発明の実施例について図面を用いて説明する。
【００２４】
（実施例１）
図１に示すように、アイロンに商用交流電源１を投入すると電源部８により、商用交流電源１を適度な大きさの直流電圧に変換し、第１のタイマー部６、第２のタイマー部７、リレー駆動部４に直流電圧を供給する。第１のタイマー部６は、リレー駆動部４にリレー部３をオンする信号を出力する。リレー部３がオンすると、サーモスタット９がオンしておればヒータ部２に商用交流電源１が印加されヒータ部２は加熱し、アイロンのべース温度は上昇し、アイロンのヒータ部２はサーモスタット９で温度制御される。
【００２５】
アイロンをこのまま放置しておくと、センサ部５の出力電圧は変化せず、第１のタイマー部６は計時を続け、所定時間後リレー駆動部４にリレー部３をオフする信号を出力する。したがって、商用交流電源１をオフするのを忘れた場合でも、第１のタイマー部６で設定した第１の所定時間でヒータ部２の供給電力は遮断され安全である。
【００２６】
また、アイロンを使用した場合、センサ部５からアイロンの動きにしたがって、レベルが変化する信号が第１のタイマー部６に入力される。第１のタイマー部６は、入力信号のレベルが変化するとタイマカウントはゼロリセットされるため、第１の所定時間まで計時するに至らず、リレー駆動部４にリレー部３のオン信号を出しつづける。このように、アイロンを使用しているときには、ヒータ部２はサーモスタット９で制御され一定温度に保たれアイロンがけができる。
【００２７】
次に、第１のタイマー部６が第１の所定時間計時して、リレー駆動部４にリレー部３のオフ信号を出力すると、第２のタイマー部７が計時を開始する。第２のタイマー部７が計時中は、センサ部５の信号を受け付けず、リレー駆動部４は第２のタイマー部７によってのみ制御される。第２のタイマー部７で設定された第２の所定時間後センサ部５の出力信号を受付け、その信号に従ってリレー駆動部４はリレー部３を駆動する。これを図２に示す。
【００２８】
図２（ａ）はセンサ部の出力信号で、第１のタイマー部６は時刻Ｔ０より計時を開始し、所定時間ｔ１後時刻Ｔ１でリレー駆動部４へリレー部３をオフする信号を出力する。時刻Ｔ１より第２のタイマー部７は計時を開始するが、時刻Ｔ２でセンサ部の出力信号がハイレベルからローレベルに変化しても、第２のタイマー部７で設定した第２の所定時間ｔ２内であるため、このＴ２時点でのセンサ信号の変化を受付けない。第２の所定時間ｔ２経過後、センサ部の出力信号はローレベルで当初のハイレベルからローレベルに変化しているため、リレー駆動部４はリレー部３をオンする信号を受付け、リレー部３をオンする。
【００２９】
したがって、図１０の破線で示すように時間ｔ２の間にリレーコイルＲＬＣに印加する電圧を十分高くすることができ、再度リレーＲＬがオンするときリレーコイル部ＲＬＣに感動電圧Ｖｋ以上の電圧を印加することができ、確実にリレーＲＬをオンすることができる。
【００３０】
（実施例２）
図３に示すように、第２のタイマー部１０を電源投入時に動作するようにし、電源投入して第２のタイマー部１０で設定した第２の所定時間ｔ２の間、リレー駆動部４にリレー部３をオフする信号を出力するようにし、第２の所定時間ｔ２後、第１のタイマー部６の出力をリレー駆動部４に出力し、アイロンが放置されているときは、第１のタイマー部６で設定した第１の所定時間ｔ１の間リレー部３をオンするようにしたものである。他の構成は上記実施例１と同じである。
【００３１】
図４に示すように、時刻Ｔ０で電源を投入すると、第２のタイマー部１０が動作を開始し、第２のタイマー部１０で設定した第２の所定時間ｔ２経過後の時刻Ｔ２でリレー部３がオンするようにしたため、リレー部３のコイル部ＲＬＣにかかる電圧Ｖ１は感動電圧Ｖｋを超えているため、確実にリレー部３をオンすることができる。
【００３２】
【発明の効果】
以上のように本発明の請求項１に記載の発明によれば、アイロンのベース部を加熱するヒータ部と、このヒータ部に供給する商用交流電源をオン、オフするリレー部と、このリレー部を駆動するリレー駆動部と、アイロンが放置状態にあるか、使用状態にあるかを検知するセンサ部と、このセンサ部の出力を入力し、アイロンが所定時間放置されたとき、前記リレー駆動部に前記リレー部をオフする信号を出力する第１のタイマー部と、前記第１のタイマー部の出力が前記リレー駆動部にオフ信号を出力してから計時を開始し、第２の所定時間前記リレー駆動部にセンサ信号を出力せず、第２の所定時間後に前記リレー駆動部にセンサ信号を出力する第２のタイマー部と、前記リレー駆動部、第１のタイマー部、第２のタイマー部に電源を供給する電源部を有し、前記第２のタイマー部は、前記第２の所定時間を計時中は前記センサ部のセンサ信号を受け付けず、前記リレー駆動部は、前記第２のタイマー部によってのみ制御されるよう構成したから、リレー部がオフするたびに必ず一定時間オフ時間を取って、その後リレー部をオンする事が出来、確実なリレー部の動作を得ることが出来る。
【００３３】
また、請求項２に記載の発明によれば、第２のタイマー部は、電源投入後計時を開始するとともに、第１のタイマー部の出力にかかわらず、リレー駆動部にリレー部オフの信号を出力し、所定時間計時後リレー駆動部に第１のタイマー部の信号を出力するよう構成したから、電源部をオンしたときは常に一定時間リレーオフ期間を設けて、その後リレー部をオンすることができ、確実なリレー部の動作を得ることができる。
【図面の簡単な説明】
【図１】  本発明の実施例１のアイロンのブロック図
【図２】  同アイロンのタイムチャート
【図３】  本発明の実施例２のアイロンのブロック図
【図４】  同アイロンのリレーコイル部に印加する電圧の時間変化図
【図５】  （ａ）従来のアイロンの放置状態を示す側面図
（ｂ）従来のアイロンの使用状態を示す側面図
【図６】  同アイロンのブロック図
【図７】  同アイロンの回路図
【図８】  同アイロンのセンサ部の要部断面図
【図９】  （ａ）同アイロンを水平状態で放置したときのセンサ部の出力電圧波形図
（ｂ）同アイロンを垂直状態で放置したときのセンサ部の出力電圧波形図
（ｃ）同アイロンを使用しているときのセンサ部の出力電圧波形図
【図１０】  同アイロンのリレーコイルに印加する電圧波形図
【符号の説明】
１  商用交流電源
２  ヒータ部
３  リレー部
４  リレー駆動部
５  センサ部
６  第１のタイマー部
７  第２のタイマー部
８  電源部
【図１】
0003826656.tif 000002
【図２】
0003826656.tif 000003
【図３】
0003826656.tif 000004
【図４】
0003826656.tif 000005
【図５】
0003826656.tif 000006
【図６】
0003826656.tif 000007
【図７】
0003826656.tif 000008
【図８】
0003826656.tif 000009
【図９】
0003826656.tif 000010
【図１０】
0003826656.tif 000011